(57)【要約】【課題】発信端末が発信する信号をより確実に検出できるようにすることである。【解決手段】ブースター５０は、受信部６１が受信した発信端末１０からの発信データに予め設定されている情報を付加する情報付加処理部７１と、情報付加処理部７１によって情報が付加された発信データを、受信部６１が発信データを受信した通信の電波強度よりも大きい電波強度で発信するブースト処理部７２及び発信部６２と、を有する。【選択図】図４
2018067853.tif 000002
【特許請求の範囲】
【請求項１】
発信端末が発信する発信データを受信する受信手段と、
前記受信手段が受信した前記発信データに予め設定されているデータを付加する付加手段と、
前記付加手段によってデータが付加された前記発信データを、前記受信手段が前記発信データを受信した通信の電波強度よりも大きい電波強度で発信する発信手段と、
を有することを特徴とする電波強度処理装置。
【請求項２】
前記予め設定されているデータは、前記発信端末が発信する発信データを基に処理を行う受信端末の当該処理内容を変更可能にするデータであることを特徴とする請求項１に記載の電波強度処理装置。
【請求項３】
前記発信データは、当該発信データを受信する受信端末であるカーナビゲーション装置が外部出力する出力処理に使用するデータであることを特徴とする請求項２に記載の電波強度処理装置。
【請求項４】
発信端末が発信する発信データを受信する受信ステップと、
前記受信ステップにて受信した前記発信データに予め設定されているデータを付加する付加ステップと、
前記付加ステップによってデータが付加された前記発信データを、前記受信手段が前記発信データを受信した通信の電波強度よりも大きい電波強度で発信する発信ステップと、
を有することを特徴とする電波強度処理方法。
【請求項５】
受信手段が、発信端末が発信する発信データを受信する受信ステップと、
付加手段が、前記受信ステップにて受信した前記発信データに予め設定されているデータを付加する付加ステップと、
発信手段が、前記付加ステップによってデータが付加された前記発信データを、前記受信手段が前記発信データを受信した通信の電波強度よりも大きい電波強度で発信する発信ステップと、
をコンピュータに実行させるプログラム。
【請求項６】
外部から送信されてくる発信データを受信する受信手段と、
前記受信手段が受信した発信データの送信に用いられた通信の電波強度が電波強度処理装置を通過して増大されたものであるか否かを判定する判定手段と、
前記判定手段が前記増大されたものであると判定すると、前記受信手段が受信した発信データを基に、前記増大されていないと判定されたときに前記発信データを基に行う第１処理と異なる第２処理を行う処理手段と、
を有することを特徴とする受信端末。
【請求項７】
前記処理手段は、前記判定手段が前記増大されたものであると判定した場合であっても、前記受信手段が前記電波強度処理装置を通過して送信されてきた前記発信データとともに前記受信手段が前記電波強度処理装置を通過することなく送信されてきた前記発信データを受信したとき当該電波強度処理装置を通過することなく送信されてきた前記発信データを基に第１処理を行うことを特徴とする請求項６に記載の受信端末。
【請求項８】
カーナビゲーション装置であり、
前記第１及び第２処理は、外部への音声出力又は表示出力の少なくとも何れかの出力処理であることを特徴とする請求項６又は７に記載の受信端末。
【請求項９】
外部から送信されてくる発信データを受信する受信ステップと、
前記受信ステップにて受信した発信データの送信に用いられた通信の電波強度が電波強度処理装置を通過して増大されたものであるか否かを判定する判定ステップと、
前記判定ステップにて前記増大されたものであると判定すると、前記受信ステップにて受信した発信データを基に、前記増大されていないと判定されたときに前記発信データを基に行う第１処理と異なる第２処理を行う処理ステップと、
を有することを特徴とする受信端末の処理方法。
【請求項１０】
受信手段が、外部から送信されてくる発信データを受信する受信ステップと、
判定手段が、前記受信ステップにて受信した発信データの送信に用いられた通信の電波強度が電波強度処理装置を通過して増大されたものであるか否かを判定する判定ステップと、
処理手段が、前記判定ステップにて前記増大されたものであると判定すると、前記受信ステップにて受信した発信データを基に、前記増大されていないと判定されたときに前記発信データを基に行う第１処理と異なる第２処理を行う処理ステップと、
をコンピュータに実行させるプログラム。
【発明の詳細な説明】
【技術分野】
【０００１】
本発明は、人、物等に発信端末を持たせて人、物等の情報を提供する技術に関する。
【背景技術】
【０００２】
特許文献１に開示の技術では、Ｂｌｕｅｔｏｏｔｈ（登録商標）規格の通信によって携帯電話等の受信端末が捜索対象の発信端末を検出したとき、受信端末の位置情報をサーバに送信している。サーバでは、受信端末の位置情報を捜索依頼者の捜索依頼者用端末に送信している。これによって、捜索依頼者は、発信端末の近くにいる受信端末の位置情報を発信端末の位置として把握する。
【先行技術文献】
【特許文献】
【０００３】
【特許文献１】特開２０１６−１４９６６号
【発明の概要】
【発明が解決しようとする課題】
【０００４】
本発明の目的は、発信端末が発信する信号をより確実に検出できるようにすることである。
【課題を解決するための手段】
【０００５】
本発明の第１の態様は、発信端末が発信する発信データを受信する受信手段と、前記受信手段が受信した前記発信データに予め設定されているデータを付加する付加手段と、前記付加手段によってデータが付加された前記発信データを、前記受信手段が前記発信データを受信した通信の電波強度よりも大きい電波強度で発信する発信手段と、を有することを特徴とする電波強度処理装置である。
【０００６】
本発明の第２の態様では、前記予め設定されているデータは、前記発信端末が発信する発信データを基に処理を行う受信端末の当該処理内容を変更可能にするデータであることが好ましい。
【０００７】
本発明の第３の態様では、前記発信データは、当該発信データを受信する受信端末であるカーナビゲーション装置が外部出力する出力処理に使用するデータであることが好ましい。
【０００８】
本発明の第４の態様は、発信端末が発信する発信データを受信する受信ステップと、前記受信ステップにて受信した前記発信データに予め設定されているデータを付加する付加ステップと、前記付加ステップによってデータが付加された前記発信データを、前記受信手段が前記発信データを受信した通信の電波強度よりも大きい電波強度で発信する発信ステップと、を有することを特徴とする電波強度処理方法である。
【０００９】
本発明の第５の態様は、受信手段が、発信端末が発信する発信データを受信する受信ステップと、付加手段が、前記受信ステップにて受信した前記発信データに予め設定されているデータを付加する付加ステップと、発信手段が、前記付加ステップによってデータが付加された前記発信データを、前記受信手段が前記発信データを受信した通信の電波強度よりも大きい電波強度で発信する発信ステップと、をコンピュータに実行させるプログラムである。
【００１０】
本発明の第６の態様は、外部から送信されてくる発信データを受信する受信手段と、前記受信手段が受信した発信データの送信に用いられた通信の電波強度が電波強度処理装置を通過して増大されたものであるか否かを判定する判定手段と、前記判定手段が前記増大されたものであると判定すると、前記受信手段が受信した発信データを基に、前記増大されていないと判定されたときに前記発信データを基に行う第１処理と異なる第２処理を行う処理手段と、を有することを特徴とする受信端末である。
【００１１】
本発明の第７の態様では、前記処理手段は、前記判定手段が前記増大されたものであると判定した場合であっても、前記受信手段が前記電波強度処理装置を通過して送信されてきた前記発信データとともに前記受信手段が前記電波強度処理装置を通過することなく送信されてきた前記発信データを受信したとき当該電波強度処理装置を通過することなく送信されてきた前記発信データを基に第１処理を行うことが好ましい。
【００１２】
本発明の第８の態様では、カーナビゲーション装置であり、前記第１及び第２処理は、外部への音声出力又は表示出力の少なくとも何れかの出力処理であることが好ましい。
【００１３】
本発明の第９の態様は、外部から送信されてくる発信データを受信する受信ステップと、前記受信ステップにて受信した発信データの送信に用いられた通信の電波強度が電波強度処理装置を通過して増大されたものであるか否かを判定する判定ステップと、前記判定ステップにて前記増大されたものであると判定すると、前記受信ステップにて受信した発信データを基に、前記増大されていないと判定されたときに前記発信データを基に行う第１処理と異なる第２処理を行う処理ステップと、を有することを特徴とする受信端末の処理方法である。
【００１４】
本発明の第１０の態様は、受信手段が、外部から送信されてくる発信データを受信する受信ステップと、判定手段が、前記受信ステップにて受信した発信データの送信に用いられた通信の電波強度が電波強度処理装置を通過して増大されたものであるか否かを判定する判定ステップと、処理手段が、前記判定ステップにて前記増大されたものであると判定すると、前記受信ステップにて受信した発信データを基に、前記増大されていないと判定されたときに前記発信データを基に行う第１処理と異なる第２処理を行う処理ステップと、をコンピュータに実行させるプログラムである。
【発明の効果】
【００１５】
本発明の前記第１，４，５の態様によれば、電波強度処理装置は、発信端末が発信する発信データに予め設定されているデータを付加し、さらに電波強度を増加させて発信する。これによって、受信端末は、発信データをより確実に受信できるとともに、発信データ中に含まれている付加データを基に電波強度処理装置を経由したことに対応した処理を行うことができる。
【００１６】
本発明の前記第２の態様によれば、受信端末は、発信データ中に含まれている付加データを基に電波強度処理装置を経由したことに対応した処理に変更することができる。
【００１７】
本発明の前記第３の態様によれば、カーナビゲーション装置は、発信データと当該発信データ中に含まれている付加データとを基に電波強度処理装置を経由したことに対応した出力処理を行うことができる。
【００１８】
本発明の前記第６，９，１０の態様によれば、受信端末は、発信データをより確実に受信できるとともに、電波強度処理装置を経由して電波強度が増大していると判定すると電波強度処理装置を経由したことに対応した第２処理を行うことができる。
【００１９】
本発明の前記第７の態様によれば、受信端末は、第２処理を不用意に行うことを防止できる。
【００２０】
本発明の前記第８の態様によれば、カーナビゲーション装置は、電波強度処理装置を経由したか否かに応じて出力処理を第１処理と第２処理とで変更できる。
【図面の簡単な説明】
【００２１】
【図１】図１は、本実施形態の情報提供システムの構成例を示すブロック図である。
【図２】図２は、発信端末の構成例を示すブロック図である。
【図３】図３は、ブースターの構成例を示すブロック図である。
【図４】図４は、ブースターの処理部の構成例を示すブロック図である。
【図５】図５は、情報付加処理の一例を示すフローチャートである。
【図６】図６は、ブースト処理の一例を示すフローチャートである。
【図７】図７は、カーナビゲーション装置の構成例を示すブロック図である。
【図８】図８は、カーナビゲーション装置の処理部の構成例を示すブロック図である。
【図９】図９は、付加判定処理の一例を示すフローチャートである。
【図１０】図１０は、出力処理の一例を示すフローチャートである。
【図１１】図１１は、通常出力処理による出力結果の一例を示す図である。
【図１２】図１２は、ブースト対応出力処理による画面出力結果の一例を示す図である。
【図１３】図１３は、ブースト対応出力処理による画面出力結果の他の例を示す図である。
【図１４】図１４は、ブースト対応出力処理による画面出力結果の他の例を示す図である。
【図１５】図１５は、本実施形態の情報提供システムにおける処理の一連の流れを示す図である。
【発明を実施するための形態】
【００２２】
本発明の実施形態を図面を参照しつつ説明する。
（構成）
図１は、本実施形態の情報提供システム１の構成例を示すブロック図である。
図１に示すように、情報提供システム１は、発信端末１０、ブースター５０、及びカーナビゲーション装置１００を有している。
【００２３】
ここで、発信端末１０とカーナビゲーション装置１００とは、近距離無線通信の回線によって通信可能とされている。例えば、近距離無線通信は、Ｂｌｕｅｔｏｏｔｈ（登録商標）である。ここで、Ｂｌｕｅｔｏｏｔｈ（登録商標）は、２．４ＧＨｚ帯を所定数の周波数チャネルに分け、利用する周波数をランダムに変える周波数ホッピングを行いながら、半径１０ｍ〜１００ｍ程度で当該Ｂｌｕｅｔｏｏｔｈ（登録商標）の搭載機器間で通信を可能にする。より具体的には、近距離無線通信は、ＢＬＥ（Bluetooth Low Energy）である。ＢＬＥは、Ｂｌｕｅｔｏｏｔｈ（登録商標）のうち極低電力で通信が可能なものである。このＢＬＥは、免許なく使える２．４ＧＨｚ帯（ＩＳＭバンド）の電波を用い、最大１Ｍｂｐｓの通信が可能であり、対応チップが従来の１／３程度の電力で動作することができ、ボタン電池一つで数年稼働することができる。
【００２４】
図２は、発信端末１０の構成例を示すブロック図である。
図２に示すように、発信端末１０は、電源部１１、近距離無線通信部１２、記憶部１３、及び処理部１４を有している。
電源部１１は、発信端末１０を構成する各部に駆動用電力を供給する。電源部１１の電源は、例えばボタン電池である。近距離無線通信部１２は、近距離無線通信、例えば、Ｂｌｕｅｔｏｏｔｈ（登録商標）規格に則した通信制御を行う。記憶部１３は、例えば、ＲＯＭ、ＲＡＭ等である。この記憶部１３には、当該発信端末１０の識別ＩＤ（以下、発信端末ＩＤという。）、及び当該発信端末１０が取り付けられている対象の情報（以下、取付対象情報という。）が記憶されている。例えば、発信端末１０は、自転車、ベビーカー、及びランドセル等に取り付けられており、よって、その取付対象の情報である取付対象情報は、「自転車」、「ベビーカー」、及び「ランドセル」等の何れかになる。なお、発信端末１０の取付対象は、これらの物、又は人に限定されないことは言うまでもない。また、例えば、取付対象情報は、発信端末１０の形状、形式等に応じて工場出荷時に既に設定されていたり、発信端末１０の使用者によって設定されていたりする。
【００２５】
処理部１４は、発信端末１０における各種処理を実行する。処理部１４は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部１４は、必要に応じて、記憶部１３に記憶されている各種データや各種プログラムに従って各種処理を実行する。例えば、処理部１４は、近距離無線通信部１２によって通信を行う近距離無線通信処理を実行したりする。近距離無線通信処理では、予め設定されている時間間隔で行う近距離無線通信によって、当該発信端末に関する情報である発信端末情報を発信する。ここで、発信端末情報には、発信端末ＩＤ及び取付対象情報が含まれている。
【００２６】
図３は、ブースター５０の構成例を示すブロック図である。
このブースター５０は、発信端末１０の発信信号（発信データ）を受信すると、その受信した際よりも大きい電波によって当該発信信号を発信する。図３に示すように、ブースター５０は、近距離無線通信部６０、記憶部５１、及び処理部７０を有している。
近距離無線通信部６０は、近距離無線通信、例えば、Ｂｌｕｅｔｏｏｔｈ（登録商標）規格に則した通信制御を行う。図３に示すように、近距離無線通信部６０は、具体的には、受信部６１及び発信部６２を有している。受信部６１は、近距離無線通信の電波を受信する。受信部６１は、受信感度が高めに設定されている。例えば、カーナビゲーション装置１００の後述の近距離無線通信部１０３の受信感度よりも高く設定されている。発信部６２は、近距離無線通信の発信を行う。
【００２７】
処理部７０は、ブースター５０における各種処理を実行する。処理部７０は、例えば、マイクロコンピュータ及びその周辺回路を備え、例えば、ＣＰＵ、ＲＯＭ（Read Only Memory）、ＲＡＭ（Random Access Memory）等によって構成されている。ＲＯＭには、１又は２以上のプログラムが格納されている。ＣＰＵは、ＲＯＭに格納されている１又は２以上のプログラムに従って各種処理を実行する。そして、処理部７０は、必要に応じて、記憶部５１に記憶されている各種データや各種プログラムに従って各種処理を実行する。例えば、処理部７０は、近距離無線通信部６０によって通信を行う処理を実行する。
【００２８】
図４は、処理部７０の構成例を示すブロック図である。
図４に示すように、処理部７０は、情報付加処理部７１及びブースト処理部７２を有している。
ここで、ブースト処理部７２は、受信部６１が受信した発信端末１０からの電波を増幅して発信部６２から発信するブースト処理を行う。情報付加処理部７１は、ブースト処理部７２が増幅した電波の信号中に、予め設定されている情報を付加する情報付加処理を行う。例えば、情報付加処理部７１は、受信部６１が受信して復調された発信端末１０からの発信信号中に、予め設定されている情報を付加する。予め設定されている情報は、当該ブースター５０にてブースト処理を施したことを示す情報を含む情報である。以下にこれら処理の詳細を説明する。
【００２９】
図５は、情報付加処理の一例を示すフローチャートである。
図５に示すように、先ずステップＳ１１の処理として、情報付加処理部７１は、受信部６１が発信端末１０の発信信号を受信したか否かを判定する。情報付加処理部７１は、受信部６１が発信端末１０の発信信号を受信したと判定したときにステップＳ１２の処理に進む。
ステップＳ１２の処理として、情報付加処理部７１は、受信部６１が受信した発信端末１０の発信信号に予め設定されている情報を付加する。例えば、データパケット内で自由に使える領域内の１ビットを付加情報のフラグとしており、情報付加処理部７１は、そのフラグを立てて情報を付加した状態にする。
【００３０】
図６は、ブースト処理の一例を示すフローチャートである。
図６に示すように、先ずステップＳ３１の処理として、ブースト処理部７２は、情報付加処理部７１によって発信端末１０の発信信号に情報が付加されたか否かを判定する。ブースト処理部７２は、情報付加処理部７１によって発信端末１０の発信信号に情報が付加されたと判定したときにステップＳ３２の処理に進む。
ステップＳ３２の処理として、ブースト処理部７２は、情報付加処理部７１によって情報が付加された発信信号を、発信部６２の発信電波を増幅して発信する。
【００３１】
図７は、カーナビゲーション装置１００の構成例を示すブロック図である。
図７に示すように、カーナビゲーション装置１００は、入力部１０１、出力部１０２、近距離無線通信部１０３、記憶部１０４、処理部１１０を有している。
ここで、入力部１０１は、操作者によって操作されて情報が入力される。出力部１０２は、モニター、スピーカ等であり、画像を表示したり、音声を出力したりする。例えば、出力部１０２における表示部及び入力部１０１はタッチパネルを構成する。近距離無線通信部１０３は、近距離無線通信、例えば、Ｂｌｕｅｔｏｏｔｈ（登録商標）規格に則した通信制御を行う。この近距離無線通信部１０３は、発信端末やブースター５０との間で通信を行う。
【００３２】
処理部１１０は、カーナビゲーション装置１００における各種処理を実行する。処理部１１０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部１１０は、必要に応じて、記憶部１０４に記憶されている各種データや各種プログラムに従って各種処理を実行する。例えば、処理部１１０は、入力部１０１から入力された情報を基に出力部１０２の出力を制御したり、近距離無線通信部１０３によって通信を行う近距離無線通信処理を実行したりする。
【００３３】
図８は、処理部１１０の構成例を示すブロック図である。
図８に示すように、処理部１１０は、付加判定処理部１１１及び出力処理部１１２を有している。
ここで、付加判定処理部１１１は、近距離無線通信部１０３が受信した発信信号中に付加情報が付加されているか否かを判定する付加判定処理を行う。ここで、近距離無線通信部１０３が受信した発信信号は、発信端末１０からの直接の発信信号、又はブースター５０を経由してきた発信信号の何れかである。出力処理部１１２は、出力部１０２から画像や音声を出力する出力処理を行う。例えば、出力処理部１１２は、カーナビゲーション装置１００の入力部１０１への使用者の操作等に応じて出力部１０２に地図の画像を表示させる。さらに、出力処理部１１２は、付加判定処理部１１１の判定結果に応じて予め設定した処理を行う。以下にこれら処理の詳細を説明する。
【００３４】
図９は、付加判定処理の一例を示すフローチャートである。
図９に示すように、先ずステップＳ５１の処理として、付加判定処理部１１１は、近距離無線通信部１０３が発信信号を受信したか否かを判定する。付加判定処理部１１１は、近距離無線通信部１０３が発信信号を受信したときにステップＳ５２の処理に進む。
ステップＳ５２の処理として、付加判定処理部１１１は、近距離無線通信部１０３が受信した発信信中に付加情報が付加されているか否かを判定する。すなわち、付加判定処理部１１１は、近距離無線通信部１０３が受信した発信信号がブースター５０を経由してきた発信信号であるか否かを判定する。付加判定処理部１１１は、近距離無線通信部１０３が受信した発信信号中に付加情報が付加されていると判定したときにステップＳ５３に進む。
ステップＳ５３では、付加判定処理部１１１は、付加情報とともに、付加情報を検出したことを示す情報である検出情報を出力処理部１１２に出力する。
【００３５】
図１０は、出力処理の一例を示すフローチャートである。
図１０に示すように、先ずステップＳ７１の処理として、出力処理部１１２は、近距離無線通信部１０３が発信信号を受信したか否かを判定する。出力処理部１１２は、近距離無線通信部１０３が発信信号を受信したときにステップＳ７２の処理に進む。
ステップＳ７２の処理として、出力処理部１１２は、ステップＳ７１で受信したと判定した発信信号について、付加判定処理部１１１からの検出情報が入力されているか否かを判定する。すなわち、出力処理部１１２は、ステップＳ７１で受信したと判定した発信信号がブースター５０を経由してきた発信信号であるか否かを判定する。出力処理部１１２は、ステップＳ７１で受信したと判定した受信信号について、付加判定処理部１１１からの検出情報が入力されていると判定すると、ステップＳ７３の処理に進む。一方、出力処理部１１２は、そうでない場合、ステップＳ７４の処理に進む。
【００３６】
ステップＳ７３の処理として、出力処理部１１２は、発信端末１０からも直接、発信信号を受信しているか否かを判定する。例えば、出力処理部１１２は、付加判定処理部１１１からの検出情報が入力されている発信信号の他に、付加判定処理部１１１からの検出情報が入力されていない発信信号がある場合、発信端末１０からも発信信号を受信していると判定する。出力処理部１１２は、発信端末１０からも発信信号を受信していると判定すると、ステップＳ７５に進む。一方、出力処理部１１２は、発信端末１０からは発信信号を受信していないと判定すると、ステップＳ７４に進む。
【００３７】
ステップＳ７４の処理として、出力処理部１１２は、ステップＳ７１で受信したと判定した発信信号及び付加情報を基に出力部１０２の出力処理を行う。これによって、出力部１０２には、ブースター５０を経由した固有の出力処理（以下、ブースト対応出力処理という。）を行う。出力処理部１１２は、例えば、車両の外部環境に応じた出力処理を行う。また、出力処理部１１２は、発信信号を基に行う処理として、例えば、受信した発信信号に含まれている発信端末情報内の取付対象情報を用いて出力処理を行う。
【００３８】
ステップＳ７５の処理として、出力処理部１１２は、ステップＳ７１で受信したと判定した発信信号を基に、出力部１０２の通常の出力処理（以下、通常出力処理という。）を行う。すなわち、出力処理部１１２は、発信端末１０から発信信号を直接受信したことに対応した通常出力処理を行う。また、出力処理部１１２は、発信信号を基に行う処理として、例えば、受信した発信信号に含まれている発信端末情報内の取付対象情報を用いて出力処理を行う。
つまり、以上の出力処理では、出力処理部１１２は、発信端末１０だけから発信信号を受信した場合、又は発信端末１０及びブースター５０から発信信号を受信した場合、その発信信号を基に通常出力処理を行う。一方、出力処理部１１２は、ブースター５０だけから発信信号を受信した場合、ブースト対応出力処理を行う。
【００３９】
図１１乃至図１４は、通常出力処理とブースト対応出力処理による画面出力結果の例を示す図である。
図１１は通常出力処理による画面出力結果の例であり、図１２〜図１４は、図１１に示す画面出力結果と比較したブースト対応出力処理による画面出力結果の例である。
図１１に示すように、出力処理部１１２は、通常出力処理では、受信した発信信号中に含まれている取付対象情報が「ランドセル」の場合、出力部１０２に地図を表示するとともに、「前方に歩行者がいます」のような乗員に対する注意喚起の表示出力や音声出力を行う。これに対して、図１２に示すように、出力処理部１１２は、ブースト対応出力処理では、出力部１０２に表示する地図を縮小するとともに、「前方に歩行者がいます」のような乗員に対する注意喚起の表示出力や音声出力を行う。また、図１３に示すように、出力処理部１１２は、ブースト対応出力処理では、出力部１０２に地図を表示するとともに、「この先、交差点に注意して下さい」のように乗員に対してさらに強い注意喚起の表示出力や音声出力を行う。また、図１４に示すように、出力処理部１１２は、受信した発信信号中に含まれている取付対象情報が「自転車」の場合、出力部１０２に地図を表示するとともに、「この先の交差点に自転車が接近しています」のように乗員に対して、発信端末１０の情報を用いて注意喚起の表示出力や音声出力を行う。
【００４０】
（動作、作用等）
図１５は、本実施形態の情報提供システム１における処理の一連の流れを示す図である。図１５を用いて、以下に、情報提供システム１における動作、作用等の一例について説明する。
第２受信パターン及び第３受信パターンとして示すように、ブースター５０では、情報付加処理部７１は、発信端末１０からの発信信号を受信すると、情報付加処理によって、その発信信号に予め設定されている情報を付加する。そして、ブースト処理部７２は、ブースト処理によって、情報付加処理部７１が付加情報を付加した発信信号を、発信部６２の発信電波を増幅して発信する。
【００４１】
カーナビゲーション装置１００では、発信信号を受信すると、付加判定処理部１１１は、その発信信号内から付加情報を検出したときに、その検出情報を出力処理部１１２に出力する。出力処理部１１２は、検出情報を基に、発信信号に基づく出力処理を行う。具体的には、出力処理部１１２は、検出情報を基に、発信端末１０だけから又は発信端末１０及びブースター５０から発信信号を受信していると判定すると、第１受信パターン又は第３受信パターンとして示すように、通常出力処理を行う。例えば、図１１に示すように、出力処理部１１２は、出力部１０２に地図を表示するとともに、「前方に歩行者がいます」のような乗員に対する注意喚起の表示出力や音声出力を行う。一方、出力処理部１１２は、検出情報を基に、ブースター５０だけから発信信号を受信していると判定すると、第２受信パターンとして示すように、ブースト対応出力処理を行う。例えば、図１２に示すように、出力処理部１１２は、出力部１０２に表示する地図を縮小するとともに、「前方に歩行者がいます」のような乗員に対する注意喚起の表示出力や音声出力を行う。また、図１３に示すように、出力処理部１１２は、出力部１０２に地図を表示するとともに、「この先、交差点に注意して下さい」のように乗員に対してさらに強い注意喚起の表示出力や音声出力を行う。また、図１４に示すように、出力処理部１１２は、出力部１０２に地図を表示するとともに、「この先の交差点に自転車が接近しています」のように乗員に対して、発信端末１０の情報を用いて注意喚起の表示出力や音声出力を行う。
【００４２】
ここで、カーナビゲーション装置１００が、ブースター５０だけから信号を受信しているということは、発信端末１０からの発信信号をその受信強度が弱いために受信できていない可能性が高い。その原因は、カーナビゲーション装置１００と発信端末１０との間の距離が非常に離れていたり、カーナビゲーション装置１００からみて、発信端末１０が建物の影に隠れていたりする可能性が高い。そして、このような車両の外部環境では、カーナビゲーション装置１００は、ブースター５０だけから発信信号を受信していることで、図１２〜図１４に示すようなブースト対応出力処理を行う。すなわち、カーナビゲーション装置１００は、ブースター５０だけから発信信号を受信すると、そのときの車両の外部環境に応じた出力処理を行っていることになる。
【００４３】
このように、カーナビゲーション装置１００は、発信端末１０の発信信号をより確実に受信できるとともに、その発信信号中に含まれている付加情報を基にブースター５０を経由したことに対応した出力処理を行うことができる。
さらに、カーナビゲーション装置１００は、発信端末１０及びブースター５０から信号を受信していると判定すると、通常出力処理を行う。これによって、カーナビゲーション装置１００は、ブースト対応出力処理を不用意に行うことを防止できる。
【００４４】
なお、前述の実施形態の説明では、ブースター５０は、例えば、電波強度処理装置を構成する。また、受信部６１は、例えば、受信手段を構成する。また、情報付加処理部７１は、例えば、付加手段を構成する。また、発信部６２は、例えば、発信手段を構成する。また、近距離無線通信部１０３は、例えば、受信手段を構成する。また、付加判定処理部１１１は、例えば、判定手段を構成する。また、出力処理部１１２は、例えば、処理手段を構成する。
【００４５】
（本実施形態の他の例等）
前述の実施形態の他の例として、車両の外部環境に応じた出力処理として、図１１〜図１３に示すような例に限定されないことは言うまでもない。
また、前述の実施形態の他の例として、受信端末は、カーナビゲーション装置１００だけでなく、例えば、携帯電話、スマートフォン等であっても良い。
また、前述の実施形態では、発信端末が発信する発信データを受信する受信ステップと、前記受信ステップにて受信した前記発信データに予め設定されているデータを付加する付加ステップと、前記付加ステップによってデータが付加された前記発信データを、前記受信手段が前記発信データを受信した通信の電波強度よりも大きい電波強度で発信する発信ステップと、を有する電波強度処理方法を実現している。
【００４６】
また、前述の実施形態では、受信手段が、発信端末が発信する発信データを受信する受信ステップと、付加手段が、前記受信ステップにて受信した前記発信データに予め設定されているデータを付加する付加ステップと、発信手段が、前記付加ステップによってデータが付加された前記発信データを、前記受信手段が前記発信データを受信した通信の電波強度よりも大きい電波強度で発信する発信ステップと、をコンピュータに実行させるプログラムを実現している。
また、前述の実施形態では、外部から送信されてくる発信データを受信する受信ステップと、前記受信ステップにて受信した発信データの送信に用いられた通信の電波強度が電波強度処理装置を通過して増大されたものであるか否かを判定する判定ステップと、前記判定ステップにて前記増大されたものであると判定すると、前記受信ステップにて受信した発信データを基に、前記増大されていないと判定されたときに前記発信データを基に行う第１処理と異なる第２処理を行う処理ステップと、を有する受信端末の処理方法を実現している。
【００４７】
また、前述の実施形態では、受信手段が、外部から送信されてくる発信データを受信する受信ステップと、判定手段が、前記受信ステップにて受信した発信データの送信に用いられた通信の電波強度が電波強度処理装置を通過して増大されたものであるか否かを判定する判定ステップと、処理手段が、前記判定ステップにて前記増大されたものであると判定すると、前記受信ステップにて受信した発信データを基に、前記増大されていないと判定されたときに前記発信データを基に行う第１処理と異なる第２処理を行う処理ステップと、をコンピュータに実行させるプログラムを実現している。
【００４８】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００４９】
１  情報提供システム、１０  発信端末、５０  ブースター、５１  記憶部、６０  近距離無線通信部、６１  受信部、６２  発信部、７０  処理部、７１  情報付加処理部、７２  ブースト処理部、１００  カーナビゲーション装置、１０３  近距離無線通信部、１１０  処理部、１１１  付加判定処理部、１１２  出力処理部
【図１】
2018067853.tif 000003
【図２】
2018067853.tif 000004
【図３】
2018067853.tif 000005
【図４】
2018067853.tif 000006
【図５】
2018067853.tif 000007
【図６】
2018067853.tif 000008
【図７】
2018067853.tif 000009
【図８】
2018067853.tif 000010
【図９】
2018067853.tif 000011
【図１０】
2018067853.tif 000012
【図１１】
2018067853.tif 000013
【図１２】
2018067853.tif 000014
【図１３】
2018067853.tif 000015
【図１４】
2018067853.tif 000016
【図１５】
2018067853.tif 000017